(57)【特許請求の範囲】
【請求項１】
建物のハゼ式折板屋根に太陽光パネルを取り付けるための太陽光パネル取付金具であって、  該太陽光パネル取付金具は、前記屋根に載置固定する基台部材と、該基台部材の鍔部にスライド固定され、太陽光パネルを挿着固定する取付部材と、を備え、  前記取付部材は、基板部の上部に内側に向かって凹状に対向する一対の第１スリット状凹部を形成し、前記基板部の下部に第１スリット状凹部と直交又は平行する方向に内側に向かって凹状に対向する一対の第２スリット状凹部を形成し、  前記基台部材は、第１基台部材と、該第１基台部材に係合固定する第２基台部材と、からなり、  前記第１基台部材は、背板と、該背板の上端から該背板に対して直角内方向に延設した一対の突き合わせ板と、該突き合わせ板と対向して該背板に対して直角外方向に延設した前記鍔部と、該背板下端から内側に延設した底板と、該背板と対向して該底板の端から立設した第１ハゼ部固定板と、を有し、  前記第２基台部材は、背板と、該背板の上端から該背板に対して直角内方向に延設した一対の突き合わせ板と、該突き合わせ板と対向して該背板に対して直角外方向に延設した前記鍔部と、該背板下端から内側に延設した底板と、該背板と対向して該背板の端から立設した第２ハゼ部固定板と、該背板から該背板に対して直角内方向に延設し、前記第１基台部材の背板の挿着孔に掛け止めする掛け板と、を有し、  前記突き合わせ板同士の押圧反力により、前記第１ハゼ部固定板と、前記第２ハゼ部固定板が屋根のハゼ部を挟持して固定すると共に、  前記第１スリット状凹部に、太陽光パネルの端部を挿着し、  前記第２スリット状凹部を、前記基台部材の上部に形成された板状の鍔部にスライド固定することを特徴とする太陽光パネル取付金具。
【請求項２】
建物の瓦棒葺き屋根に太陽光パネルを取り付けるための太陽光パネル取付金具であって、  該太陽光パネル取付金具は、前記屋根に載置固定する基台部材と、該基台部材の鍔部にスライド固定され、太陽光パネルを挿着固定する取付部材と、を備え、  前記取付部材は、基板部の上部に内側に向かって凹状に対向する一対の第１スリット状凹部を形成し、前記基板部の下部に第１スリット状凹部と直交又は平行する方向に内側に向かって凹状に対向する一対の第２スリット状凹部を形成し、  前記基台部材は、前記瓦棒葺き屋根の延出部に固定する一対の掛け止め部材と、該掛け止め部材を覆設固定する一対の覆設部材とからなり、  前記掛け止め部材は、係止板と、該係止板下端から内側に突出した係止片と、前記係止板上端から内側下方に延設して、先端部両端に形成された一対の突設片を備えた掛け止め板と、を有し、  前記覆設部材は、立設板と、該立設板の上端部から直角外方向に延設した上板と、該立設板の両側端部から直角外方向に延設した一対の側板と、からなり、該側板に穿設された孔部に前記突設片を挿着固定し、  前記第１スリット状凹部に、太陽光パネルの端部を挿着し、  前記第２スリット状凹部を、前記覆設部材の両端部に形成された鍔部にスライド固定することを特徴とする太陽光パネル取付金具。
【発明の詳細な説明】
【技術分野】
【０００１】
本発明は、太陽光パネル取付金具に関する。更に詳しくは、太陽光パネルを屋根上に設置するに際し、簡易な構造で、作業性を向上させることのできる、太陽光パネル取付金具に関する。
【背景技術】
【０００２】
従来、図９に示すようなハゼ式折屋根８０に、太陽光パネルＳを取付けるには、例えば、上底８１に固定金具９５を固定し、この固定金具９５に一対の長尺のベース材９６を固定する。そして、このベース材９６に架台９７を固定して、その架台９７に太陽光パネルＳを固定する。太陽光パネルを用いて実際に電力供給に役立てようとすると、相当数の太陽光パネルを屋根に取り付ける必要があり、それに伴い、数多くの固定部材が必要となる。更に、それらの固定には、ボルトなどの固着具が大量に使用されることになる。
【０００３】
ここで、作業性を向上させることのできる、太陽光パネル取付金具が提案されている（例えば、特許文献１参照。）。
特許文献１に記載の太陽光パネル取付金具は、一方のソーラーパネルに取り付けられる支持金具と、他方のソーラーパネルに設けられる挿入部材とを備える。そして、支持金具は、架台上に取り付けられるベース部と弾力的に折り曲げられてベース部上方に位置する対面部とを備え、ベース部と対面部との間に、一方のソーラーパネルの端部と、他方のソーラーパネルの端部が固定される挿入部材が差込まれることによって、挿入空間部が形成され、この挿入空間部に、一方の端部と、挿入部材はベース部と対面部に挟まれて一緒に弾力的に保持される。
そのため、太陽光パネルと取付金具を固定するための固着具が少なく、作業性に優れている。
【先行技術文献】
【特許文献】
【０００４】
【特許文献１】特開２０１３−１５９９７１号公報
【発明の概要】
【発明が解決しようとする課題】
【０００５】
しかし、上記取付金具は、架台上に取り付けるものであり、架台と取付金具を固定するには依然として、ボルトなどの固着具が必要である。
【０００６】
本発明はかかる従来の問題点に鑑みてなされたものであり、簡易な構造で、作業性を向上させることのできる、太陽光パネル取付金具を提供することを目的とする。
【課題を解決するための手段】
【０００７】  上記の課題を解決するための本発明は以下の通りである。  １．建物のハゼ式折板屋根に太陽光パネルを取り付けるための太陽光パネル取付金具であって、  該太陽光パネル取付金具は、前記屋根に載置固定する基台部材と、該基台部材の鍔部にスライド固定され、太陽光パネルを挿着固定する取付部材と、を備え、  前記取付部材は、基板部の上部に内側に向かって凹状に対向する一対の第１スリット状凹部を形成し、前記基板部の下部に第１スリット状凹部と直交又は平行する方向に内側に向かって凹状に対向する一対の第２スリット状凹部を形成し、  前記基台部材は、第１基台部材と、該第１基台部材に係合固定する第２基台部材と、からなり、  前記第１基台部材は、背板と該背板の上端から該背板に対して直角内方向に延設した一対の突き合わせ板と、該突き合わせ板と対向して該背板に対して直角外方向に延設した前記鍔部と、該背板下端から内側に延設した底板と、該背板と対向して該底板の端から立設した第１ハゼ部固定板と、を有し、  前記第１スリット状凹部に、太陽光パネルの端部を挿着し、  前記第２基台部材は、背板と、該背板の上端から該背板に対して直角内方向に延設した一対の突き合わせ板と、該突き合わせ板と対向して該背板に対して直角外方向に延設した前記鍔部と、該背板下端から内側に延設した底板と、該背板と対向して該背板の端から立設した第２ハゼ部固定板と、該背板から該背板に対して直角内方向に延設し、前記第１基台部材の背板の挿着孔に掛け止めする掛け板と、を有し、  前記突き合わせ板同士の押圧反力により、第１ハゼ部固定板と、第２ハゼ部固定板が屋根のハゼ部を挟持して固定すると共に、  前記第２スリット状凹部を、前記基台部材の上部に形成された板状の鍔部にスライド固定することを特徴とする太陽光パネル取付金具。  ２．建物の瓦棒葺き屋根に太陽光パネルを取り付けるための太陽光パネル取付金具であって、  該太陽光パネル取付金具は、前記屋根に載置固定する基台部材と、該基台部材の鍔部にスライド固定され、太陽光パネルを挿着固定する取付部材と、を備え、  前記取付部材は、基板部の上部に内側に向かって凹状に対向する一対の第１スリット状凹部を形成し、前記基板部の下部に第１スリット状凹部と直交又は平行する方向に内側に向かって凹状に対向する一対の第２スリット状凹部を形成し、  前記基台部材は、前記瓦棒葺き屋根の延出部に固定する一対の掛け止め部材と、該掛け止め部材を覆設固定する一対の覆設部材とからなり、  前記掛け止め部材は、係止板と、該係止板下端から内側に突出した係止片と、前記係止板上端から内側下方に延設し、先端部両端に形成された一対の突設片を備えた掛け止め板と、を有し、  前記覆設部材は、立設板と、該立設板の上端部から直角外方向に延設した上板と、該立設板の両側端部から直角外方向に延設した一対の側板と、からなり、該側板に穿設された孔部に前記突設片を挿着固定し、  前記第１スリット状凹部に、太陽光パネルの端部を挿着し、  前記第２スリット状凹部を、前記覆設部材の両端部に形成された鍔部にスライド固定することを特徴とする太陽光パネル取付金具。
【発明の効果】
【０００８】  請求項１の発明は、屋根に載置固定する基台部材と、基台部材にスライド固定され、太陽光パネルを挿着固定する取付部材と、を備えるため、太陽光パネルを屋根に固定する上で、簡易な構造で、作業性を向上させることができる。  また、取付部材が、基板部の上部に内側に向かって凹状に対向する一対の第１スリット状凹部を形成し、基板部の下部に第1スリット状凹部と直交又は平行する方向に内側に向かって凹状に対向する一対の第２スリット状凹部を形成し、第１スリット状凹部に、太陽光パネルの端部を挿着し、第２スリット状凹部を、基台部材の上部に形成された板状の鍔部にスライド固定するため、ボルト、ナットなどの固着具を使用することなく、太陽光パネルを基台部材に取付けることができる。  更に、第１ハゼ固定部と、第２ハゼ固定部により屋根のハゼ部を押圧挟持するため、屋根に太陽光パネル取付金具を確実に固定することができる。  請求項２の発明も、屋根に載置固定する基台部材と、基台部材にスライド固定され、太陽光パネルを挿着固定する取付部材と、を備えるため、太陽光パネルを屋根に固定する上で、簡易な構造で、作業性を向上させることができる。  また、取付部材についても、請求項１と同様であるため、ボルト、ナットなどの固着具を使用することなく、太陽光パネルを基台部材に取付けることができる。  そして、一対の突設片を有する掛け止め板を備えた掛け止め部材と、これを覆設する覆設部材とからなり、側板に穿設された孔部に突設片を挿着固定するという簡易な構造であり、作業性を向上させることができる。
【図面の簡単な説明】
【０００９】
【図１】実施形態１の太陽光パネル取付金具を構成する第１基台部材と第２基台部材とを示す斜視図である。
【図２】（ａ）は図１における第１基台部材と第２基台部材とから基台部材を組み立てる様子を示す斜視図、（ｂ）は（ａ）のＡ−Ａ断面図である。
【図３】実施形態１の太陽光パネル取付金具を、ハゼ式折板屋根に載置固定する様子を示す斜視図である。
【図４】実施形態１の太陽光パネル取付金具に係り、ハゼ式折板屋根に太陽光パネルを取り付けた状態を示す斜視図である。
【図５】実施形態２の太陽光パネル取付金具に係り、（ａ）は掛け止め部材、（ｂ）は覆設部材（ｃ）は掛け止め部材に覆設部材を覆設固定した状態を示す斜視図である。
【図６】実施形態２の太陽光パネル取付金具に係り、（ａ）は瓦棒葺き屋根の延出部に掛け止め部材と覆設部材を取り付けた状態、（ｂ）は（ａ）の状態から、掛け止め部材に覆設部材を覆設固定する途中の状態、（ｃ）は掛け止め部材に覆設部材を覆設固定した状態を示す斜視図である。
【図７】実施形態３の太陽光パネル取付金具に係り、（ａ）は覆設体と載置体、（ｂ）は覆設体を載置体に覆設する様子、（ｃ）は覆設体を載置体に覆設した状態を示す斜視図である。
【図８】実施形態３の太陽光パネル取付金具に係り、（ａ）は基台部材に太陽光パネルを設置する様子、（ｂ）は、設置した状態を示す斜視図である。
【図９】ハゼ式折板屋根への従来の太陽光パネルの取付例を示す斜視図である。
【発明を実施するための形態】
【００１０】
以下、本発明を具体化した実施例により、本発明を更に具体的に説明する。
［実施形態１］
太陽光パネル取付金具１は、図３に示すように、ハゼ式折板屋根に載置固定する基台部材２０と、基台部材２０にスライド固定され、太陽光パネルＳを挿着固定する取付部材１０と、を備えている。
取付部材１０は基板部１５の上部に内側に向かって凹状に対向する一対の第１スリット状凹部１１を形成し、基板部１５の下部に第１スリット状凹部１１と直交する方向に内側に向かって凹状に対向する一対の第２スリット状凹部１２を形成している。
【００１１】
そして、太陽光パネルＳの取付に際しては、第１スリット状凹部１１に、太陽光パネルの端部を挿着し、第２スリット状凹部１２を、基台部材２０の上部に形成された板状の鍔部３１にスライド固定する。
取付部材１０を製作する方法は特に限定はないが、例えば、１枚の矩形の基板部１５形成用の板の４隅を切断した後、対向する一対の端縁部を上部に折り曲げて上対面板１１ａを形成し、他方の対向する一対の端縁部を下部に折り曲げて下対面板１２ａを形成することができる。こうすることで、上対面板１１ａと基板部１５との隙間が第１スリット状凹部１１となり、基板部１５と下対面板１２ａとの隙間が第２スリット状凹部１２となる。
【００１２】
また、第２スリット状凹部１２は、その端縁部の一端側を塞ぐ係止片（不図示）を備えることもできる。この係止片を備えた側を、屋根の上部側となるように基台部材２０の鍔部３１、４１にスライド固定することによって、取付部材１０が脱落するのを確実に防止することができる。
更に、第２スリット状凹部１２を長手方向に次第に広がる形状とし、これと対応する基台部材２０の鍔部３１、４１の形状を次第に肉厚が増すテーパ形状とすることもできる。この第２スリット状凹部１２の窄まる側を、屋根の上側となるようにして、テーパ形状の鍔部３１、４１にスライド固定することによっても、取付部材１０が脱落するのを確実に防止することができる。
【００１３】
基台部材２０は、ハゼ式折板屋根の上底８１に載置固定することができる。
基台部材２０は、図１に示すように、第１基台部材３０と、第１基台部材３０に係合固定する第２基台部材４０と、からなる。
第１基台部材３０は、背板３３と背板３３の上端から背板３３に対して直角内方向に延設した一対の突き合わせ板３１、３１と、突き合わせ板３１、３１と対向して背板３３に対して直角外方向に延設した鍔部３２と、背板３３下端から内側に延設した底板３４と、背板３３と対向して底板３４の端から立設した第１ハゼ部固定板３５と、を有する。
突き合わせ板３１は、底板３４に立設した側板３６の上部を折り曲げ加工して形成されている。そして、その先端部３１ａは、基台部材４０の先端部４１ａとの突き合わせ平面を確保するために折り曲げ加工されている。
第１ハゼ部固定板３５の上端は、ハゼ部８５との固定を確実にするために鋸刃状に形成されている。
【００１４】
第２基台部材４０は、背板４３と背板４３の上端から背板４３に対して直角内方向に延設した一対の突き合わせ板４１、４１と、突き合わせ板４１、４１と対向して背板４３に対して直角外方向に延設した鍔部４２と背板４３下端から内側に延設した底板４４と、背板４３と対向して底板４４の端から立設した第２ハゼ部固定板４５と、を有する。
突き合わせ板４１は、底板４４に立設した側板４６の上部を折り曲げ加工して形成されている。そして、その先端部４１ａは、基台部材３０の先端部３１ａとの突き合わせ平面を確保するために折り曲げ加工されている。
また、第２ハゼ部固定板４５の上端は、ハゼ部８５との固定を確実にするために鋸刃状に形成されている。
そして、背板４３から背板４３に対して直角内方向に延設し、第１基台部材３０の背板３３の挿着孔３３ｈに掛け止めする掛け板４８と、を有している。
【００１５】
太陽光パネルの設置に際しては、図２に示すように、第２基台部材４０の掛け板４８を、第１基台部材３０の背板３３の挿着孔３３ｈに掛け止めする。そして、基台部材３０の突き合わせ板３１の先端部３１ａと基台部材４０の突き合わせ板４１の先端部４１ａの外面同士を当接するように組み合わせる。次いで、屋根のハゼ部８５の首部を第１ハゼ部固定板３５と第２ハゼ部固定板４５とで挟持する。
そして、上部から押圧すると、突き合わせ板同士の押圧反力により、第１ハゼ部固定板３５と、第２ハゼ部固定板４５が屋根のハゼ部８５を挟持して固定することができる。
すなわち、上方からを押圧することで自閉式に確実に固定することができる。
次いで、取付部材１０の第２スリット状凹部１２、１２を鍔部３１、４１にスライド固定すれば太陽光パネル取付金具１の設置が完了する。なお、太陽光パネルを予め、取付部材１０の第１スリット状凹部１１に挿着しておいて太陽光パネルを引っ張りながら取付部材１０を挿着することができる。そして、図４に示すように、屋根の傾斜方向に太陽光パネルＳ１、Ｓ２を並べて設置することができる。
【００１６】
［実施形態２］
瓦棒葺き屋根に載置固定する太陽光パネル取付金具は、基台部材５０と、基台部材５０の鍔部５３ｂにスライド固定され、太陽光パネルを挿着固定する取付部材１０と、を備えている。
基台部材５０は、図５に示すように、瓦棒葺き屋根の延出部に固定する一対の掛け止め部材５０Ａと、掛け止め部材５０Ａを覆設固定する一対の覆設部材５０Ｂとからなる。
【００１７】
掛け止め部材５０Ａは、弾性材からなり、係止板５１と、係止板５１下端から内側に突出した係止片５１ａと、係止板５１上端から内側下方に延設し、先端部両端に形成された一対の突設片５３ａを備えた掛け止め板と、を有している。
掛け止め板は、係止板５１の上端から、係止板５１に対して直角に折り曲げ形成された水平板部５２と水平板部５２から延設した斜板部５３とからなる。水平板部５２は、後述の上板５３の下面と当接可能となる。
そして、斜板部５３の先端部両端に一対の突設片５３ａを備えている。
【００１８】
覆設部材５０Ｂは、立設板５６と、立設板５６の上端部から直角外方向に延設した上板５３と、立設板５６の両側端部から直角外方向に延設した一対の側板５７と、からなり、側板５７に穿設された孔部５７ｈに突設片５３ａを挿着固定することができる。そして、上板５３の両端部が鍔部５３ｂとしての機能を有する。
【００１９】
取付部材１０の構成、作用効果については、実施形態１と同様であり、前述の通りであるため、その説明は省略する。
太陽光パネルの設置に際しては、図６（ａ）に示すように、掛け止め部材５０Ａに覆設部材５０Ｂを取付けた後、瓦棒葺き屋根の延出部８７を覆うように掛け止め部材５０Ａを取付ける。次いで、図６（ｂ）に示すように、立設板５６同士が当接するように、上板５３を上方から押圧する。そして、図６（ｃ）に示すように、瓦棒葺き屋根への基台部材５０の取り付けが完了する。すなわち、上板５３を上方から押圧することにより、自閉式に確実に固定することができる。
取付部材１０の第２スリット状凹部１２、１２を鍔部５３ｂ、５３ｂにスライド固定すれば太陽光パネル取付金具の設置が完了する。なお、太陽光パネルの端部を予め、取付部材１０の第１スリット状凹部１１に挿着しておいて太陽光パネルを引っ張りながら取付部材１０を挿着することができる。
【００２０】
［実施形態３］
重ね式折板屋根に取り付ける太陽光パネル取付金具６５は、図７、図８に示すように、屋根に載置固定する上方を開口した容器状の載置体７０と、載置体７０を覆設固定する下方及び前方を開口した容器状の覆設体６０と、からなり、覆設体６０は載置体７０に対し、一端側で回動可能に軸支されている。
そして、覆設体６０及び、載置体７０の上部後端側には、内側に向かって凹状に対向する挿着凹部６１ａ、７１ａが形成されており、それぞれの挿着凹部６１ａ、７１ａに太陽光パネルの端部が挿着可能である。
【００２１】
載置体７０は、載置前板７４の上端を開口部より上方で折り曲げて係止部７１を形成している。また一対の載置側板７３の一端側に係止孔７３ｈが形成されている。更に、重ね式折板屋根に取り付けるための固定板７７が固着されており、更に、係止孔７７ｈ、７７ｈを有している。
【００２２】
覆設体６０は、覆設上板６２に覆設側板６３から延設された係止部６１が形成されている。そして、覆設側板６３の一端側には、係止孔７３ｈに回動自在に挿着可能な軸６３ａが設けられている。
太陽光パネルＳ１、Ｓ２を取付けるには、図８（ａ）に示すように、載置体７０に対して、覆設体６０をその軸６３ａ左回りに回動させておいて、太陽光パネルＳ１の端部Ｓａを挿着凹部６１ａに挿着する。次いで、覆設体６０を載置体７０に対して、その軸６３ａ右回りに回動させて載置体７０に覆設する。そして、太陽光パネルＳ２の端部Ｓｂを覆設上板６２上に載置する。
ここで、図８（ａ）に示すように、覆設体６０は、回動軸付近に傾斜側面６３ｂを有している。そのため、回動前においては傾斜側面６３ｂが載置面に確実に載置され、交差線６３ｃを中心に回動後は、底側面６３ｄが載置面に確実に載置される。
次いで、図８（ｂ）に示すように、太陽光パネルＳ２を矢印方向に引っ張ることにより、太陽光パネルＳ２の挿着部Ｓａが挿着凹部７１ａに挿着固定される。
なお、太陽光パネル取付金具６５の技術的構成は、重ね式折板屋根のみならず、ハゼ式折板屋根にも利用できるものである。
【符号の説明】
【００２３】
１、６５；太陽光パネル取付金具、１０；取付部材、１１；第１スリット状凹部、１２；第２スリット状凹部、１５；基板部、２０、５０；基台部材、３０；第１基台部材、３１、４１；突き合わせ板、３２、４２、５３ｂ；鍔部４０；第２基台部材、３３、４３；背板、３３ｈ；挿着孔、３４、４４；底板、３５；第１ハゼ部固定板、４５；第２ハゼ部固定板、４８；掛け板、５０Ａ；掛け止め部材、５０Ｂ；覆設部材、５１；係止板、５１ａ；係止片、５３ａ；突設片、５１；掛け止め板、５６；立設板、５３；上板、５７；側板、５７ｈ；孔部、６０；覆設体、６１ａ、７０；載置体、７１ａ；挿着凹部、８５；屋根のハゼ部、Ｓ１、Ｓ２；太陽光パネル、Ｓａ、Ｓｂ；端部
【図１】
0006533721.tif 000002
【図２】
0006533721.tif 000003
【図３】
0006533721.tif 000004
【図４】
0006533721.tif 000005
【図５】
0006533721.tif 000006
【図６】
0006533721.tif 000007
【図７】
0006533721.tif 000008
【図８】
0006533721.tif 000009
【図９】
0006533721.tif 000010